(57)【特許請求の範囲】
【請求項１】
有線医療ネットワークとの固定モード及びモバイル通信モードの間で患者モニタリングセンサグループを変更する方法であって、前記センサグループが、１つ以上の患者装着センサとモバイルアグリゲータセンサとを含み、
固定アグリゲータモジュールの通信範囲内で、前記センサグループを検出するステップと、
前記モバイルアグリゲータセンサと前記１つ以上の患者装着センサとが前記固定アグリゲータモジュールの範囲内にあることを前記モバイルアグリゲータセンサに知らせるステップと、
前記固定アグリゲータモジュールが範囲内にあるとき、前記モバイルアグリゲータセンサをバイパスして、前記センサグループから有線ネットワークへ前記固定アグリゲータモジュールを介して状態情報を通信するステップとを有する、方法。
【請求項２】
前記モバイルアグリゲータセンサが前記固定アグリゲータモジュールの範囲外にあるとき、
前記モバイルアグリゲータセンサが前記固定アグリゲータモジュールの範囲外にあるときに前記モバイルアグリゲータセンサにおいてモバイルアグリゲータパーソナルエリアネットワークを確立するステップと、
前記モバイルアグリゲータパーソナルエリアネットワークを介して前記モバイルアグリゲータセンサにおいて前記１つ以上の患者センサから前記状態情報を受信するステップと、
前記モバイルアグリゲータセンサから前記有線ネットワークへ前記状態情報を伝送し、前記固定アグリゲータモジュールをバイパスするステップとをさらに含む、請求項１に記載の方法。
【請求項３】
前記モバイルアグリゲータセンサがワイヤレスローカルエリアネットワーク通信リンクを介して前記有線ネットワークへ前記状態情報を伝送する、請求項２に記載の方法。
【請求項４】
前記センサグループを検出するステップが、
前記固定アグリゲータモジュールにおいて、前記モバイルアグリゲータセンサからワイヤレスローカルアクセスネットワーク伝送を検出するために複数のワイヤレスローカルアクセスネットワーク無線チャネルをモニタリングするステップを含む、請求項１乃至３のいずれか一項に記載の方法。
【請求項５】
前記センサグループを検出するステップが、
有線ネットワークと、前記モバイルアグリゲータセンサと前記固定アグリゲータモジュールの各々との間の通信リンクを確立するステップと、
前記有線ネットワークにおいて、前記固定アグリゲータモジュールに対する前記モバイルアグリゲータセンサの位置を、
グローバルポジショニングシステムと医療機関のマップ、及び
医療機関のマップとアセットトラッキングシステム
の少なくとも１つを用いてモニタリングするステップとを含む、請求項１乃至３のいずれか一項に記載の方法。
【請求項６】
前記センサグループを検出するステップが、
前記固定アグリゲータモジュールからビーコン信号を伝送するステップと、
前記モバイルアグリゲータセンサが前記固定アグリゲータモジュールの通信範囲内にあることを示す前記モバイルアグリゲータセンサからの位置情報を、前記有線ネットワークを介して受信するステップとを含む、請求項１乃至３のいずれか一項に記載の方法。
【請求項７】
前記センサグループを検出するステップが、
前記固定アグリゲータモジュールにおいて、前記モバイルアグリゲータセンサからの短距離ワイヤレス伝送を検出するために複数の短距離ワイヤレスチャネルをモニタリングするステップを含む、請求項１乃至３のいずれか一項に記載の方法。
【請求項８】
前記状態情報が、
血圧、
心拍数、
呼吸速度、
体温、及び
血中酸素レベル
の少なくとも１つを含む患者パラメータに関する情報を含む、請求項１乃至７のいずれか一項に記載の方法。
【請求項９】
前記通信範囲がおよそ１０メートル以下である、請求項１乃至８のいずれか一項に記載の方法。
【請求項１０】
請求項１に記載の方法を構成し実行するようにプロセッサを制御するためのソフトウェアを保持するコンピュータ可読媒体。
【請求項１１】
有線医療ネットワークとの固定モード及びモバイル通信モードの間で患者モニタリングセンサグループの変更を容易にするシステムであって、前記センサグループが、１つ以上の患者装着センサとモバイルアグリゲータセンサとを含み、
固定アグリゲータモジュールの通信範囲内で、前記センサグループを検出する固定アグリゲータモジュールを有し、
前記固定アグリゲータは前記センサグループが前記固定アグリゲータモジュールの範囲内にあることを前記モバイルアグリゲータセンサに通知し、
前記１つ以上の患者装着センサは、前記センサグループが前記固定アグリゲータモジュールの範囲内にあると通知されるときは前記モバイルアグリゲータセンサをバイパスして、前記固定アグリゲータモジュールを介して有線ネットワークへ、及び前記センサグループが前記固定アグリゲータモジュールの範囲内にないときはワイヤレスネットワークを介して前記有線ネットワークへ、状態情報を通信する、システム。
【請求項１２】
前記モバイルアグリゲータセンサは、
前記モバイルアグリゲータセンサが前記固定アグリゲータの範囲外であるときにモバイルアグリゲータパーソナルエリアネットワークを確立し、
前記モバイルアグリゲータパーソナルエリアネットワークを介して前記１つ以上の患者センサから前記状態情報を受信し、
前記状態情報をワイヤレスローカルエリアネットワーク通信リンクを介して前記有線ネットワークへ伝送する、
請求項１１に記載のシステム。
【請求項１３】
前記固定アグリゲータモジュールが、前記センサグループを検出するために、前記モバイルアグリゲータセンサにおいてワイヤレスローカルエリアネットワーク無線からの伝送を検出するように複数のワイヤレスローカルエリアネットワーク無線チャネルをスキャンするワイヤレスローカルエリアネットワーク無線を含む、請求項１１又は１２のいずれか一項に記載のシステム。
【請求項１４】
前記固定アグリゲータモジュールが前記有線ネットワークとの通信リンクを確立するプロセッサを含み、前記モバイルアグリゲータセンサが前記有線ネットワークとの通信リンクを確立するプロセッサを含み、前記有線ネットワークに結合したサーバが前記固定アグリゲータモジュールに対する前記モバイルアグリゲータセンサの位置を、
グローバルポジショニングシステムと医療機関のマップ、及び
医療機器のマップとアセットトラッキングシステム
の少なくとも１つを用いてモニタリングする、
請求項１１又は１２のいずれか一項に記載のシステム。
【請求項１５】
前記固定アグリゲータモジュールが、短距離無線ユニットと、前記固定アグリゲータモジュールからのビーコン信号を伝送するワイヤレスローカルエリアネットワーク無線の少なくとも１つを含み、前記モバイルアグリゲータセンサが、短距離無線ユニットと、前記ビーコン信号に応答して前記モバイルアグリゲータセンサが前記固定アグリゲータモジュールの範囲内にあることを示す伝送をするワイヤレスローカルエリアネットワーク無線の少なくとも１つを含む、請求項１１又は１２のいずれか一項に記載のシステム。
【請求項１６】
前記固定アグリゲータモジュールが、前記センサグループを検出するために、前記モバイルアグリゲータセンサにおける短距離無線ユニットからの伝送を検出するよう複数の短距離無線チャネルをスキャンする短距離無線ユニットを含む、請求項１１又は１２のいずれか一項に記載のシステム。
【請求項１７】
前記状態情報が、
血圧、
心拍数、
呼吸速度、
体温、及び
血中酸素レベル
の少なくとも１つを含む患者パラメータに関する情報を含む、請求項１１乃至１６のいずれか一項に記載のシステム。
【請求項１８】
前記固定アグリゲータモジュールの範囲がおよそ１０メートル以下である、請求項１１乃至１７のいずれか一項に記載のシステム。
【請求項１９】
前記固定アグリゲータモジュールが患者ベッドサイドモニタ上にある、請求項１１乃至１８のいずれか一項に記載のシステム。
【請求項２０】
有線医療ネットワークとの固定モード及びモバイル通信の間で患者モニタリングデバイスを変更する方法であって、
１つ以上の患者装着センサとモバイルアグリゲータセンサとを有し、検知された患者情報が前記センサから有線ネットワークへそれを介して中継されるモバイルアグリゲータパーソナルエリアネットワークを維持する、モバイルセンサグループの位置をモニタリングするステップと、
前記モバイルアグリゲータセンサと前記１つ以上の患者装着センサがコンセント駆動の固定アグリゲータモジュールの通信範囲内にあることを前記モバイルアグリゲータセンサに知らせるステップと、
前記センサグループが前記固定アグリゲータモジュールの範囲内にあるときに、前記モバイルアグリゲータセンサをバイパスして、前記１つ以上の患者装着センサに固定アグリゲータパーソナルエリアネットワークを介して前記有線ネットワークへ状態情報を通信するように指示するステップと、
前記モバイルアグリゲータセンサにおいてバッテリ電力を節約するために、前記センサグループが前記固定アグリゲータモジュールの範囲内にあるとき、前記モバイルアグリゲータパーソナルエリアネットワークを終了するステップとを有する、方法。
【発明の詳細な説明】
【技術分野】
【０００１】
本発明は患者モニタリングシステム、特に生理学的モニタリングシステムに関して応用される。しかしながら、記載の技術は他のモニタリングシステム、他の医療情報収集シナリオ、他の状態モニタリング技術などにも応用され得ることが理解される。
【背景技術】
【０００２】
半導体及び回路の小型化、バイオセンサ開発、並びにワイヤレス通信における最近の進歩は、オンボード処理とワイヤレスデータ転送を伴う小型集積センサを実現した。こうしたセンサは短距離ワイヤレス通信プロトコルを使用し、人の身体活動だけでなく生理学的パラメータ（心拍数、酸素飽和度、血圧、体温、心電図（ＥＣＧ）など）に関するデータを収集するためにウェアラブルワイヤレスセンサネットワークに組み合わされることができる。こうしたセンサネットワークのための応用は、高齢者の在宅モニタリング、慢性疾患患者のモニタリング、健康、院内のリハビリテーション及び患者モニタリングを含む。例えば、患者は身体に取り付けられる複数のワイヤレスバイオセンサノードを持ち、センサデータはワイヤレスゲートウェイへワイヤレスに伝送され、さらに処理、視覚化及び記憶のためにサーバへ有線ネットワークを介して送信される。サーバは患者モニタリングの場合は院内に位置し得る。
【０００３】
ボディセンサはバッテリ駆動であるため、ワイヤレスデータ伝送を含む全システムコンポーネントにとって低電力消費が極めて重要な性能パラメータである。従って、低電力短距離無線技術が記載のシステムと方法におけるワイヤレス接続性のために有用である。その低電力消費、低複雑性、及び低コストのためにこの用途にとって医療産業で勢いを増しているワイヤレス技術の１つは、ＩＥＥＥ  ８０２．１５．４規格で定義されるワイヤレスパーソナルエリアネットワーク（ＷＰＡＮ）技術である。ＩＥＥＥ  ８０２．１５．４  ＷＰＡＮは１つのＷＰＡＮコーディネータと１つ以上のエンドデバイスを有する。物理チャネルの数は定義されており、すなわち２．４ＧＨｚ  ＩＳＭバンドにおいて１０である。ＷＰＡＮは通常、他のＩＥＥＥ  ８０２．１５．４  ＷＰＡＮ若しくは非８０２．１５．４トラフィックからの干渉を最小化するようにＰＡＮコーディネータによって選ばれる１周波数で動作する。
【０００４】
フル機能デバイス（ＦＦＤ）と機能限定デバイス（ＲＦＤ）という２種類のネットワークノードが規格で定義されている。ＲＦＤは８０２．１５．４プリミティブのサブセットを実装し、ＷＰＡＮコーディネータとして機能することができない。ＲＦＤ無線は電力消費を最小化するためにできる限りオフにされる。ＦＦＤは規格で定義されるプリミティブを完全実装し、ＰＡＮコーディネータとして機能することができる。ＩＥＥＥ  ８０２．１５．４は帯域幅予約、及びＷＰＡＮコーディネータがスリープモードに入ることを可能にする、ビーコンを用いるオプションの同期チャネルアクセスメカニズムを定義するが、ＷＰＡＮ実装の大部分はこれを使用しない。電力消費を削減するために、無線はできる限りオフにされる。一般にＰＡＮコーディネータはエンドデバイスから伝送を受信するために常にオンでなければならない。
【０００５】
現在の従来技術メカニズムはモバイルワイヤレスパーソナルエリアネットワーク（ＷＰＡＮ）デバイスに固定アグリゲータ（ＦＡ）を再発見する負担を負わせるので、その電力消費を増加しそのバッテリ寿命を縮める。最も単純な場合、センサ若しくはＷＰＡＮエンドデバイスは個別に固定アグリゲータを探して患者エリアネットワーク（ＰＡＮ）をスキャンし、モバイルアグリゲータ（ＭＡ）に結果を報告してＭＡがそのＰＡＮを放棄することを許可する。ＭＡはエンドデバイスから非同期伝送を受信することができなければならないので、ＭＡ自身はそのＭＡが動作している以外のチャネルでスキャンすることができない。より効率的なメカニズムにおいて、ＭＡはエンドデバイスに、一度に一つずつ、スキャンを実行しＭＡへ結果を報告するように指示する。後者のアプローチにおいても、スキャンのためにエンドデバイスによって、シグナリングのためにエンドデバイスとＭＡの両方によって電力が消費される。より具体的には、ノード若しくはセンサの各々がビーコンリクエストを送信するか、又はベッドサイドモニタ若しくは他の固定アグリゲータユニットからの伝送を聞く場合、ノード若しくは個々のモニタはバッテリ寿命を縮めることになる。
【発明の概要】
【発明が解決しようとする課題】
【０００６】
本願は上述の問題などを克服する、バッテリ駆動モバイルＷＰＡＮデバイスの電力消費を最小化しながらモバイルＷＰＡＮにおいて１つ以上のモバイルデバイスがそれらの固定アグリゲータを発見することを許可するための、新たな改良されたシステムと方法を提供する。
【課題を解決するための手段】
【０００７】
一態様によれば、有線医療ネットワークとの固定及びモバイル通信モードの間で患者モニタリングセンサグループを転送する方法は、固定アグリゲータモジュールの範囲内で、１つ以上の患者装着センサとモバイルアグリゲータセンサを有するセンサグループを検出するステップを有する。方法はモバイルアグリゲータセンサと１つ以上の患者装着センサが固定アグリゲータモジュールの範囲内にあることをモバイルアグリゲータセンサに知らせるステップと、固定アグリゲータモジュールが範囲内にあるとき、センサグループ（５２）から有線ネットワークへ固定アグリゲータモジュールを介して状態情報を通信するステップとをさらに有する。
【０００８】
別の態様によれば、有線医療ネットワークとの固定及びモバイル通信モードの間で患者モニタリングセンサグループの転送を容易にするシステムは、１つ以上の患者装着センサとモバイルアグリゲータセンサを含むセンサグループを、センサグループが固定アグリゲータモジュールの範囲内にあるときに検出する、固定アグリゲータモジュールを有する。固定アグリゲータはセンサグループが固定アグリゲータモジュールの範囲内にあることをモバイルアグリゲータセンサに通知する。１つ以上の患者装着センサは患者状態情報を、センサグループが固定アグリゲータモジュールの範囲内にあることを通知されるときは固定アグリゲータモジュールを介して有線ネットワークへ通信し、センサグループが固定アグリゲータモジュールの範囲内にないときはモバイルアグリゲータモジュールを介して有線ネットワークへ通信する。
【０００９】
別の態様によれば、有線医療ネットワークとの固定及びモバイル通信モードの間で患者モニタリングデバイスを転送する方法は、１つ以上の患者装着センサとモバイルアグリゲータセンサを有し、検知される患者情報がセンサから有線ネットワークへそれを介して中継されるモバイルアグリゲータパーソナルエリアネットワーク（ＭＡ‐ＰＡＮ）を維持する、モバイルセンサグループの位置をモニタリングするステップを有する。方法はモバイルアグリゲータセンサと１つ以上の患者装着センサがコンセント駆動固定アグリゲータモジュールの範囲内にあることをモバイルアグリゲータセンサへ知らせるステップと、１つ以上の患者装着センサに、センサグループが固定アグリゲータモジュールの範囲内にあるとき固定アグリゲータパーソナルエリアネットワーク（ＦＡ‐ＰＡＮ）を介して有線ネットワークへ患者状態情報を通信するように指示するステップをさらに有する。加えて、方法はモバイルアグリゲータセンサにおいてバッテリ電力を節約するためにセンサグループが固定アグリゲータモジュールの範囲内にあるときＭＡ‐ＰＡＮを終了するステップを有する。
【００１０】
１つの利点はバッテリ電力が節約されることである。
【００１１】
別の利点は患者がモニタリング領域を動き回るときに持続的な患者モニタリングを提供することにある。
【００１２】
本発明のなおさらなる利点は以下の詳細な説明を読んで理解することで当業者に理解される。
【００１３】
図面は様々な態様を例示する目的に過ぎず限定と解釈されない。
【図面の簡単な説明】
【００１４】
【図１】患者上に位置する複数のオンボディワイヤレスセンサのための２つの接続性モードを使用するモバイル接続性を容易にするシステムを図示する。
【図２】オンボディデバイス若しくはセンサにおけるバッテリ電力の節約を容易にするシステムを図示する。
【図３】ＭＡセンサがそれ自身のＰＡＮ（ＭＡ‐ＰＡＮ）を開始し、センサがＭＡ  ＰＡＮに接続し、ＭＡがさらに患者情報を有線ネットワークへ伝送する、モバイル動作モードにおけるシステムを図示する。
【図４】ＦＡがそのＰＡＮに固定センサを接続させており、センサがモバイルセンサグループの一部ではない、システムを図示する。
【図５】ＭＡがそれ自身のＰＡＮ（ＭＡ‐ＰＡＮ）を開始し、センサがＭＡ  ＰＡＮに接続し、ＭＡがさらに患者情報を有線ネットワークへ伝送する、モバイル動作モードにおけるシステムを図示する。ＦＡはそのＰＡＮに固定センサを接続し続ける。
【図６】例えば有線若しくはワイヤレス接続を介して有線ネットワークへ結合した、ＦＡとＭＡをより詳細に示すシステムを図示する。
【図７】有線医療ネットワークとの固定及びモバイル通信モードの間で患者モニタリングセンサグループを転送する方法を図示する。
【発明を実施するための形態】
【００１５】
上述の問題を克服するために、記載のシステムと方法は、モバイル及び固定ネットワークの間でモバイル患者センサをハンドオフし、患者装着型パーソナルエリアネットワーク（ＰＡＮ）が固定アグリゲータの近傍にあるかどうかを決定する負担を、壁面コンセントを使用するためにバッテリ寿命問題のないベッドサイドモニタに負わせることによって、バッテリ寿命の節約を容易にする。
【００１６】
図１は患者１４上に位置する複数のオンボディワイヤレスセンサ１２のための２つの接続性モードを使用するモバイル接続性を容易にするシステム１０を図示する。右側に示される以下固定モード（ＦＭ）と呼ばれる第１のモードにおいて、全オンボディセンサは固定アグリゲータ（ＦＡ）１６に接続し、これはセンサデータを受信してそれを有線ネットワーク１８（例えば病院若しくは医療環境ネットワーク）を介して伝送する。ＦＡはコンセント駆動であり、ＦＡ‐ＰＡＮ２０のためのＰＡＮコーディネータとしてはたらく。モバイルセンサ用の有線ネットワークへの接続ポイントとして機能するのに加えて、ＦＡはデータを処理することができる。図１で左側に示される以下モバイルモード（ＭＭ）と呼ばれる第２の動作モードにおいて、モニタリングされる人は固定アグリゲータのサービスエリアを離れている。その結果、オンボディモバイルアグリゲータ（ＭＡ）２２が第２のＰＡＮ、ＭＡ‐ＰＡＮ２４を作り出し、それにセンサが接続する。モバイルアグリゲータはセンサデータを受信し、それをＩＥＥＥ  ８０２．１１（ワイヤレスＬＡＮ）などの第２のローカルエリアワイヤレスリンクを通じてアクセスポイント２６を介して有線ネットワークへ転送する。モバイルアグリゲータはスタンドアロンデバイスであることができる。一実施形態において、ＭＡ２２はボディセンサの１つであり、センサデータの受信と転送を実行するための追加機能を含む。モニタリングされる患者が固定アグリゲータのサービスエリアに再び入るとき、オンボディセンサ１２は第１の動作モードに切り替え、すなわち固定ＦＡ‐ＰＡＮ２０に再接続する。そしてモバイルアグリゲータはそのＭＡ‐ＰＡＮ２４を放棄する。モバイルモード中、モバイルアグリゲータの電力消費は常に短距離無線上でセンサデータを受信し、それをローカルエリアネットワーク無線を通じて伝送するために増加し得る。
【００１７】
一実施形態において、ＦＡ１６は、モバイルアグリゲータとノード若しくはセンサの間での通信を検出し、信号強度に基づいて患者装着ＰＡＮが範囲内にあることを決定するベッドサイドモニタ（不図示）の一部である。別の実施形態において、固定及びモバイルユニットは両方ともＷＬＡＮに接続し、近接性をモニタリングするためにＷＬＡＮネットワークを使用することができる。別の実施形態において、モバイルアグリゲータは近接性を確立する通信リンクを確立するために固定ユニットからＰＡＮビーコンリクエストを受信する。別の実施形態において、ベッドサイドモニタは個々のオンボディセンサノードからの信号をスキャンするか又は近接性を確立するためにモバイルアグリゲータへビーコン信号を送信する、第２の短距離無線ユニットを含むことができる。
【００１８】
別の実施形態において、無線信号強度は固定アグリゲータへのワイヤレスセンサの近接性を決定する頼りにされる。しかしながら、マップ及びアセットトラッキングシステム若しくはＧＰＳシステムがサーバレベルで近接性を決定するために使用されることができる。
【００１９】
図２はオンボディデバイス若しくはセンサにおけるバッテリ電力の節約を容易にするシステム５０を図示する。固定アグリゲータ１６はモバイルＰＡＮがＦＡの近傍に戻ったこと、及びＦＡとセンサのモバイルグループ５２の間の接続性が再度短距離無線を用いて可能であることを発見する。このアプローチはモバイルセンサＳ１，Ｓ２，Ｓ３のバッテリ寿命を改良し、従ってユーザ（例えば素人、医療提供者など）にとっての利便性を増加する。一実施形態において、ＦＡはＦＡ‐ＰＡＮ２０に接続したモバイルセンサグループの一部であるセンサのみに接続する。従って、図２はＦＡ１６がＦＡ‐ＰＡＮのためのＰＡＮコーディネータである固定モード動作のための構成例を示す。３つの機能限定デバイス（ＲＦＤ）センサＳ１，Ｓ２及びＳ３、並びにフル機能デバイスでありＷＬＡＮ対応である第４のセンサ（ＭＡ）２２がＦＡ‐ＰＡＮに接続される。ＭＡのＷＬＡＮ無線（不図示）はこの実施形態では通信のために使用されず節電のためにオフにされる。センサからくる全データはＦＡを通じて有線ネットワーク１８へ、及びサーバ５４へルートされる。モバイルセンサグループ５２はＦＡ１６から離れるので、ＦＡとの通信はもはや不可能であり、通信スキームは図２に図示のものから図３に図示のものへと移行する。
【００２０】
図３はＭＡセンサ２２がそれ自身のＰＡＮ（ＭＡ‐ＰＡＮ）２４を開始し、センサＳ１，Ｓ２，Ｓ３がＭＡ‐ＰＡＮに接続し、ＭＡがさらに有線ネットワークへ患者情報を伝送する、モバイル動作モードにおけるシステム６０を図示する。ＭＡはＷＬＡＮインフラへの接続を確立し、このリンクを使用してセンサデータを有線ネットワーク１８へ転送する。モバイルセンサグループ５２が離れた後はもはやＦＡ１６に接続したデバイスがなく、これは短距離無線を解放する。この実施形態において、ＦＡは全チャネルにおいてＭＡ２２からの伝送のためにＭＡ‐ＰＡＮ２４をスキャンするために（受動的スキャン）、又は全チャネルにおいてビーコンリクエストを送信する（能動的スキャン）ことによって、その短距離無線を使用する。ＭＡはまた有線ネットワークを介してサーバ５４においてその現在のチャネルも保存し、そこからＦＡはより的を絞ったスキャンのためにその現在のチャネルを読み出すことができる。ＭＡはいくつかの方法でモバイルセンサグループが再度ＦＡの近傍にあることを通知されることができる。一実施形態において、ＦＡは短距離無線リンクを介してＭＡと通信する。別の実施形態において、ＦＡはＷＬＡＮリンクを介して有線ネットワークを通じてＭＡと通信する。別の実施形態において、ＭＡはＦＡからビーコンリクエストを検出する。
【００２１】
図４はＦＡ１６が固定センサＳ４，Ｓ５をそのＰＡＮ２０に接続させ、センサＳ４，Ｓ５がモバイルセンサグループ５２の一部ではないシステム７０を図示する。モバイルセンサグループがＦＡのサービスエリアを離れてそれ自身のＰＡＮを開始するとき、Ｓ４及びＳ５はＦＡに接続したままである。この場合ＦＡは固定センサＳ４及びＳ５への接続性を維持しなければならないので、ＭＡ２２をスキャンするためにそのチャネルを容易に変更することができない。この実施形態において、ＦＡはＭＡからの伝送のためにＭＡ‐ＰＡＮをスキャンするために第２のオンボード短距離無線（不図示）を使用する。スキャンは前記の通り受動的若しくは能動的のいずれかであることができる。ＭＡは図３に関して記載したメカニズムを通じて短距離無線接続性がＦＡと再確立されることができることを通知されることができる。
【００２２】
別の実施形態において、ＦＡはそれに接続した固定センサの１つ、例えばＳ４若しくはＳ５に、ＭＡ‐ＰＡＮをスキャンするように指示する。スキャンは図３に関して前記した通り受動的若しくは能動的のいずれかであることができる。固定センサは結果をＦＡに報告する。ＭＡは図３に関して記載したメカニズムを通じて短距離無線接続性がＦＡと再確立されることができることを通知されることができる。
【００２３】
図５はＭＡセンサがそれ自身のＰＡＮ（ＭＡ‐ＰＡＮ）を開始し、センサがＭＡ‐ＰＡＮに接続し、ＭＡがさらに有線ネットワークへ患者情報を伝送する、モバイル動作モードにおけるシステムを図示する。ＦＡは固定センサをそのＰＡＮに接続し続ける。ＭＡはネットワーク１８においてサーバ５４上でそのＷＬＡＮ接続性（ＷＬＡＮチャネルなど）についての情報を保存し、ＦＡはより的を絞ったスキャンのためにそれを読み出すことができる。ＭＡからのＷＬＡＮ伝送の受信成功から、ＭＡが短距離無線の範囲内にあることを推測するために、ＦＡはＷＬＡＮ伝送の受信信号強度（ＲＳＳ）を所定閾値と比較し得る。ＲＳＳが所定閾値を超える場合、短距離無線通信が可能であると決定され得る。ＭＡは図３に関して記載したメカニズムを通じて短距離無線接続性がＦＡと再確立されることができることを通知されることができる。
【００２４】
図６は例えば有線若しくはワイヤレス接続を介して有線ネットワーク１８に結合した、ＦＡ１６とＭＡ２２をより詳細に示す、システム９０を図示する。本明細書で様々な実施形態と図面に記載されるデバイスの各々（例えば固定アグリゲータ、モバイルアグリゲータ、サーバなど）及び有線ネットワークは、本明細書に記載の様々な機能、動作、ステップ、方法などを実行するためのコンピュータ実行可能命令を保存するメモリ若しくはコンピュータ可読媒体、及び実行する１つ以上のプロセッサを含み得ることが理解される。例えば、ＦＡ１６はプロセッサ９２とメモリ９４を含み、ＭＡ２２はプロセッサ１００とメモリ１０２を含む。メモリはディスク、ハードドライブなどといった制御プログラムが保存されるコンピュータ可読媒体であり得る。コンピュータ可読媒体の一般的形式は、例えばフロッピーディスク、フレキシブルディスク、ハードディスク、磁気テープ、又は任意の他の磁気記憶媒体、ＣＤ‐ＲＯＭ、ＤＶＤ、又は任意の他の光学媒体、ＲＡＭ、ＲＯＭ、ＰＲＯＭ、ＥＰＲＯＭ、ＦＬＡＳＨ‐ＥＰＲＯＭ、それらの変形、他のメモリチップ若しくはカートリッジ、又はプロセッサがそこから読み取り実行することができる任意の他の有形媒体を含む。この文脈において、本明細書に記載のシステムは１つ以上の汎用コンピュータ、専用コンピュータ、プログラムマイクロプロセッサ若しくはマイクロコントローラ及び周辺集積回路素子、ＡＳＩＣ若しくは他の集積回路、デジタル信号プロセッサ、個別素子回路などの配線電子若しくは論理回路、ＰＬＤ、ＰＬＡ、ＦＰＧＡ、グラフィカルカードＣＰＵ（ＧＰＵ）、若しくはＰＡＬなどのプログラマブル論理デバイスなどの上で、又はそういったものとして実装され得る。
【００２５】
サーバ５４は有線ネットワークに結合し、医療機関若しくは環境（例えば病院、介護施設、在宅モニタリングの場合患者の家など）の１つ以上のマップ１１０を含む。加えて、有線ネットワークに結合したＦＡ、ＭＡ、及びサーバ５４の各々はＧＰＳモジュール９９，１０８，１１２をそれぞれ含み、それを用いてＦＡに対するＭＡの位置がトラックされることができる。別の実施形態において、サーバはＦＡに対するＭＡの位置をトラックするためにマップ１１０と併用されるアセットトラッキングシステム１１４を含む。
【００２６】
システム９０は有線ネットワーク１８との固定及びモバイル通信モードの間で患者モニタリングセンサグループ（図２‐５）の転送を容易にする。一実施形態において、固定アグリゲータモジュールはセンサグループ及び／又はＭＡ２２が固定アグリゲータモジュールから所定距離内（例えば１０メートルくらい）にあるときを検出する。ＭＡがＦＡの範囲内にあると決定されるとき、ＦＡはＭＡに、ＭＡを通じて通信しているセンサグループと１つ以上の患者装着センサが患者状態情報を有線ネットワーク１８へＦＡを介して通信するために切り替わることを通知する。
【００２７】
ＭＡを検出するいくつかの方法が本明細書に記載される。一実施形態において、ＦＡはセンサグループを検出するために、ＭＡにおいて短距離無線１０４からの伝送を検出するように複数の短距離無線チャネルをスキャンする短距離無線９６を含む。付加的に若しくは代替的に、ＦＡはＭＡにおいてＷＬＡＮ無線１０６からの伝送を検出するように複数のＷＬＡＮ無線チャネルをスキャンするＷＬＡＮ無線９８を含み、ＭＡはこれを使用してセンサから受信した患者情報を有線ネットワークへ伝送する。
【００２８】
別の実施形態において、ＦＡのプロセッサ９２は有線ネットワークとの通信リンクを確立し、ＭＡのプロセッサ１００も有線ネットワーク１８との通信リンクを確立する。サーバ５４はマップ１１２とＧＰＳモジュール若しくはアセットトラッキングシステムの少なくとも１つを用いて固定アグリゲータモジュールに対するモバイルアグリゲータセンサの位置をモニタリングする。
【００２９】
別の実施形態において、短距離無線９６とＷＬＡＮ無線９８の少なくとも１つはＦＡからのビーコン信号を伝送し、ＭＡはビーコン信号に応答してモバイルアグリゲータセンサが固定アグリゲータモジュールの所定距離内にあることを示す信号を伝送する短距離無線１０４とＷＬＡＮ無線１０６の少なくとも１つを含む。
【００３０】
ＭＡは固定アグリゲータから所定距離の外側にあるときにモバイルアグリゲータパーソナルエリアネットワーク（ＭＡ‐ＰＡＮ）を確立し、ＭＡ‐ＰＡＮを介して１つ以上の患者センサから患者パラメータデータを受信し、ワイヤレスローカルエリアネットワーク（ＷＬＡＮ）通信リンクを介して有線ネットワークへ患者パラメータデータを伝送する。患者パラメータデータは限定されないが、血圧、心拍数、呼吸速度、体温、血中酸素レベルなどに関する情報を含む患者パラメータに関する情報を含み得る。
【００３１】
図７は有線医療ネットワークとの固定及びモバイル通信モードの間で患者モニタリングセンサグループを転送する方法を図示する。１２０において、患者装着モバイルセンサグループの位置が検出されるか又はモニタリングされる。モバイルセンサグループは複数の機能限定デバイス（ＲＦＤ）と、グループ内の全センサから情報を集め、情報を有線ネットワークへ伝送するモバイルアグリゲータ（ＭＡ）センサとして機能する少なくとも１つのフル機能デバイス（ＦＦＤ）とを有する。１２２において、ＭＡが通信のためにＦＡの範囲内にあるかどうかに関する決定がなされる。そうでなければ、１２４において、検知された患者データがセンサからＭＡを通じて有線ネットワークへ伝送される。ＭＡがＦＡの範囲内にある場合、１２６においてＭＡはＦＡの範囲内にあることを知らされる。１２８において、センサグループは検知情報をコンセント駆動である（例えば壁などにプラグ接続される）ＦＡへ（例えば短距離無線通信リンクなどを用いて）伝送し始める。このように貴重なバッテリ電力がＭＡにおいて節約される。
【００３２】
ＭＡがＦＡの範囲外に移動する場合、センサグループが患者パラメータデータ（例えば血圧、心拍数、体温、呼吸速度、血中酸素レベルなど）の有線ネットワークへの（例えばＷＬＡＮ通信リンクなどを介した）通信のためにＭＡを通じた伝送に戻るように、ＭＡ及びモバイルセンサグループ位置モニタリングは周期的に若しくは連続的に実行される。ＦＡに対するＭＡの位置の決定は前の図面に関して記載した通り様々な方法（例えばＧＰＳ、アセットトラッキング、ビーコン信号及び応答など）で実行されることができる。
【００３３】
本発明はいくつかの実施形態を参照して記載されている。上記詳細な説明を読んで理解することで修正と変更が想到され得る。本発明はそうした修正及び変更が添付の請求項若しくはその均等物の範囲内にある限り全て含むものと解釈されることが意図される。
【図１】
0005993852.tif 000002
【図２】
0005993852.tif 000003
【図３】
0005993852.tif 000004
【図４】
0005993852.tif 000005
【図５】
0005993852.tif 000006
【図６】
0005993852.tif 000007
【図７】
0005993852.tif 000008